(57)【要約】【課題】電子装置がテレビに音声信号及び視覚信号を送信するための無線伝送方法及びその装置を提供する。【解決手段】電子装置がテレビに音声信号及び視覚信号を送信するための無線伝送方法は以下のステップを含み、電子装置が再生を所望する音声信号及び視覚信号が変調され、次に、該変調された音声信号及び視覚信号が低電力テレビ信号無線送信機を介してテレビ搬送波信号に変換され、該テレビ搬送波信号は、該テレビの近くに該電子装置を設定することによってテレビに送信され、該電子装置及び該テレビの間の距離が極めて短く、該送信された搬送波信号は該テレビを通って該テレビ内部のチューナに至ることができ、その結果該チューナは該テレビ搬送波信号を直接的に受信することにより、本発明の該伝送方法は電子装置とテレビの間の信号伝送回線を必要としない。【選択図】図１
2008060728.tif 000002
【特許請求の範囲】
【請求項１】
電子装置がテレビに音声信号及び視覚信号を送信するための無線伝送方法であって、
テレビのアンテナ入力ケーブルに補助アンテナを設置し、該補助アンテナが該テレビの受信感度を強化するための金属拡張部で構成されるケーブルを備えるステップと、
電子装置が再生を所望する音声信号と視覚信号を変調するステップと、
低電力テレビ信号無線送信機を介して変調された音声信号と視覚信号をテレビ搬送波信号に変換し、次に該テレビの近くに該電子装置を設定することによりテレビに該テレビ搬送波信号を送信するステップと、
該電子装置と該テレビの間が極めて短い距離で、該送信された搬送波信号が該テレビを通り該テレビ内部のチューナに到達し、次に該チューナが該テレビ搬送波信号を直接的に受信するステップと、
その結果該テレビが、該テレビ搬送波信号の対応する周波数に該テレビを合せることによって該電子装置の該音声信号と視覚信号を直接的に再生するステップと、
を備える、電子装置がテレビに音声信号及び視覚信号を送信するための無線伝送方法。
【請求項２】
電子装置がテレビに音声信号と視覚信号を送信するための無線伝送装置であって、
テレビの受信感度を強化するためにテレビのアンテナ入力ケーブルに設置され、金属拡張部をもって構成されるケーブルを有する補助アンテナと、
電子装置の音声信号と受信信号を受信し、それから伝送媒体によって送信されるのに適した変調済みの音声信号と視覚信号に、該音声信号と視覚信号を変換するために使用される変調モジュールと、
該変調済みの音声信号と視覚信号を送信するための該変調モジュールに結合される低電力無線伝送モジュールと、
を備え
該低電力無線伝送モジュールが、該音声信号と視覚信号を送信するために、該無線信号に該テレビを通過させ、該テレビ内部のチューナに至らせるために極めて短い距離でテレビの近くに設置されなければならない、
電子装置がテレビに音声信号及び視覚信号を送信するための無線伝送装置。
【請求項３】
前記変調モジュールに結合されるコネクタインタフェースをさらに備え、該コネクタインタフェースがＶＧＡ、ＤＶＩまたはＵＳＢタイプのインタフェースである請求項２に記載の電子装置がテレビに音声信号及び視覚信号を送信するための無線伝送装置。
【発明の詳細な説明】
【技術分野】
【０００１】
本発明は、概して方法及びその装置に関し、さらに詳細には電子装置がテレビに音声信号及び視覚信号を送信するための無線伝送方法に関し、特に、信号伝送回線を必要とせず、音声信号と視覚信号をテレビに送信するためにテレビの近くに本発明の装置を配置することだけを必要とする方法及びその装置に関する。
【背景技術】
【０００２】
ビデオディスクプレーヤ等の音声信号及び視覚信号を再生できる一般的な電子装置は、伝送回線を介してテレビに結合されるＡＶ端末、Ｓ端末、クロミナンス端末等の音声コネクタ及びビデオコネクタを使用することにより、テレビに電子装置から出力される音声信号及び視覚信号を表示できる。
【０００３】
従来のテレビは、外部接続電子装置用に３セットの音声コネクタとビデオコネクタを提供するにすぎない。4台以上の電子装置がテレビに結合されることが所望される場合には、テレビの音声コネクタ及びビデオコネクタでは不十分である。したがって、電子装置及びテレビの結合はさまざまな電子装置に切り替えるために接続し直されなければならない。このようにして、再接続は極めて不便であるだけではなく、回線は混乱し、管理するのが困難であり、さらに悪いことにはプラグを頻繁に引き抜くことにより接触不良を引き起こす可能性がある。それらの電子装置は、多くの場合、デジタルカメラやＤＶカメラ等の外部接続を使用することを必要とするため、1本または複数の外部に露呈した信号線が必要である。したがって、回線は極めて厄介である。さらに、電気配線を差し込むことは誰にとってもそれほど簡単ではなく、使用上の難しさを示す。
【発明の開示】
【発明が解決しようとする課題】
【０００４】
本発明の主要な目的は、電子装置が音声信号及び視覚信号をテレビに送信するための無線伝送方法を提供することである。該無線伝送方法は、音声コネクタとビデオコネクタを使用せずに直接的にテレビに音声信号と視覚信号を再生させる。前記目的を達成するために、本発明の主要な技術は以下のステップを含む。
【０００５】
第1に、電子装置が再生を所望する音声信号と視覚信号が変調される。次に、変調された音声信号と視覚信号は低電力テレビ信号無線送信機を介してテレビ搬送波信号に変換される。テレビ搬送波信号は、テレビの近くに電子装置を設定することによってテレビに送信される。電子装置とテレビの間の極めて短い距離で、送信されたテレビ搬送信号はテレビを通してテレビ内部のチューナに移動でき、したがってチューナはテレビ搬送波信号を直接受信できる。次にテレビはテレビ搬送波信号の対応する周波数にテレビを合せることによって電子装置の音声信号と視覚信号を直接的に再生できる。このようにして、本発明の伝送方法は電子装置とテレビ間の信号伝送回線を必要としない。
【０００６】
本発明の別の主要な目的は、電子装置が音声信号と視覚信号をテレビに送信するための無線伝送装置を提供することである。該無線伝送装置は変調モジュールと低電力無線伝送モジュールを含む。
【０００７】
前記変調モジュールは、伝送媒体によって送信されるのに適したフォーマットに従って電子装置の音声信号と視覚信号を受信し、伝送媒体によって送信されるのに適したフォーマットに変形するために使用される。低電力無線伝送モジュールは、変調された音声信号と視覚信号を送信するために変調モジュールに結合される。
【課題を解決するための手段】
【０００８】
本発明は、電子装置とテレビの間の音声コネクタとビデオコネクタの厄介な回線の問題の不便さを免れるために音声信号と視覚信号を送信するための無線伝送方法を使用する。
【０００９】
テレビは従来のテレビまたはデジタルテレビである場合がある。デジタルテレビが使用されるときには、本発明はさらに符号化モジュール及び変換器モジュールを含む。符号化モジュールは音声信号と視覚信号をデジタルデータに変換するために使用される。変換器モジュールはデジタルデータを、デジタルテレビ放送システムの標準デジタルデータに変換するために変調モジュールと符号化モジュールの間で結合される。
【００１０】
本発明が携帯電話、デジタルカメラ、ビデオディスクプレーヤまたはデジタルフォトフレームに適用するときには、本発明の無線伝送装置は、電子装置内部に設置できる。他方、本発明がラップトップまたはデスクトップに適用されるときには、コネクタインタフェースがコンピュータに結合されるために使用できる。
【００１１】
さらに、本発明はテレビのアンテナ入力ケーブルに設置される補助アンテナをさらに含むことができる。補助アンテナは、テレビの受信感度を高めるために金属拡張部付きで構成されるケーブルを含む。
【００１２】
本発明の電子装置がテレビに音声信号及び視覚信号を送信するための無線伝送方法は、以下のステップを含む。
【００１３】
図１を参照すると、携帯電話、デジタルカメラ、ビデオディスクプレーヤ、デジタルフォトフレーム、ラップトップまたはデスクトップ等の電子装置（１０）が再生を所望する音声信号と視覚信号が変調される。
【００１４】
変調された音声信号と視覚信号は、次に低電力テレビ信号無線送信機を介してテレビ搬送波信号に変形される。電子装置（１０）とテレビ（２０）の間の距離は極めて短く、それによりテレビ搬送信号はテレビ（２０）に送信される。
【００１５】
送信された搬送波信号は、テレビ（２０）を通ってテレビ（２０）内部のチューナ（２１）に至る。その結果、テレビ（２０）は、テレビ（２０）が本発明の設定周波数に合せられると、電子装置（１０）の音声信号と視覚信号を直接的に再生できる。このようにして、本発明の伝送方法は、電子装置とテレビの間の信号伝送回線を必要としない。
【００１６】
図２Ａ及び図２Ｂを参照すると、本発明の方法は、テレビ（２０）のアンテナ入力ケーブル上に設置される補助アンテナ（２２）をさらに追加することによって実現できる。補助アンテナ（２２）は、テレビアンテナに結合されるためのイン端部とアウト端部である２つの側を有する金属拡張部（２２１）をもって構成されるケーブルを含む。補助アンテナ（２２）の垂直金属拡張部（２２１）は、本発明により送信される音声信号と視覚信号の受信を強化するためにテレビ（２０）の受信感度を高めるために屋内アンテナを形成する。
【００１７】
さらに図３を参照すると、本発明に係る電子装置がテレビに音声信号及び視覚信号を送信するための無線伝送装置（３０）の第1の好適実施形態は、携帯電話、デジタルカメラ、ビデオディスクプレーヤ、またはデジタルフォトフレーム等の電子装置（１０）に適用される。無線伝送装置（３０）は、電子装置（１０）で結合される。本発明の無線装置（３０）を電子装置（１０）に設置することによって、電子装置（１０）が再生することを所望する音声信号と視覚信号が再生するためのＣＲＴテレビ（２０’）に送信される。無線伝送装置（３０）は、無線伝送装置（３０）の内部の変調モジュール（３１）と、該変調モジュール（３１）に接続される無線伝送モジュール（３２）を含む。
【００１８】
前記変調モジュール（３１）は、電子装置（１０）の音声信号と視覚信号を、伝送媒体によって送信されるのに適した形式に変換するために使用される。本好適実施形態では、アナログ変調器が使用される。
【００１９】
無線伝送モジュール（３２）は、変調された音声信号と視覚信号を送信するために変調モジュール（３１）に結合される。この好適実施形態では、極超短波（ＵＨＦ）送信機が使用される。
【００２０】
図４に関して、本発明の無線伝送装置（３０ａ）の第２の好適実施形態は、第1の好適実施形態での無線伝送装置とほぼ同様である。相違点は、無線伝送装置（３０ａ）が、デジタルテレビ（２０”）のデジタル送信機に再生される音声信号と視覚信号を送信するために使用される点である。したがって、無線伝送装置（３０ａ）は、第1の好適実施形態の無線伝送装置と比較して、符号化モジュール（３３）と変換器モジュール（３４）を追加する。前記変換器モジュール（３４）は、変調モジュール（３１）と符号化モジュール（３３）の間で結合される。
【００２１】
前記変調モジュール（３１）は、直交周波数分割多重（ＯＦＤＭ）変調器を使用する。前記符号化モジュール（３３）は、音声信号と視覚信号をデジタルデータに変換するために使用される。この好適実施形態では、Ｍｐｅｇ−２（エムペグ２）エンコーダが使用される。前記変換器モジュール（３４）は、デジタルテレビ放送システムの標準デジタルデータにデジタルデータを変換するために使用される。本好適実施形態では、デジタルデータはＤＶＢ−Ｔ（デジタルビデオ放送−地上波）の標準デジタルデータに変換される。
【００２２】
図５Ａに関して、本発明の無線伝送装置（３０ｂ）の第３の好適実施形態は、第１の好適実施形態の無線伝送装置とほぼ同様である。無線伝送装置（３０ｂ）は、電子装置（１０）から分離される独立した製品に作ることができる。
【００２３】
相違点は、本好適実施形態の無線伝送装置（３０ｂ）が、独立した無線送信機を構築するために、第１の好適実施形態の無線伝送装置に比較してＶＧＡコネクタインタフェース（３５）を追加するという点である。ＶＧＡコネクタインタフェース（３５）は、例えばラップトップまたはデスクトップのアナログ信号出力端子と結合するために使用される。
【００２４】
図５Ｂを参照すると、本発明の無線伝送装置（３０ｃ）の第４の好適実施形態は第２の好適実施形態の無線伝送装置にほぼ同様である。相違点は、独立した無線送信機を構築するために、第２の好適実施形態の無線伝送装置と比較してＶＧＡコネクタインタフェース（３５）を追加するという点である。ＶＧＡコネクタインタフェース（３５）は、例えばラップトップまたはデスクトップのアナログ信号出力端子と結合するために使用される。
【００２５】
さらに、図５Ａ及び図５Ｂは、本発明の無線伝送装置３０のアナログ回路とデジタル回路をそれぞれ示す。
【００２６】
図６Ａ及び図６Ｂに関して、本発明の無線伝送装置（３０ｄ、３０ｅ）の第５及び第６の好適実施形態は第３及び第４の好適実施形態の無線伝送装置にほぼ同様である。相違点は、本好適実施形態の無線伝送装置（３０ｄ、３０ｅ）がＵＳＢタイプまたはＤＶＩタイプの音声データ及び視覚データを受信するためのＶＧＡコネクタインタフェース（３５）の代わりにＵＳＢまたはＤＶＩコネクタインタフェース（３５ａ）を使用するという点である。デジタルデータを受信し、送信するためにＵＳＢタイプまたはＤＶＩタイプの音声データ及び視覚データがデジタルデータであるため、第５及び第６の好適実施形態は第３及び第４の好適実施形態とはいくぶん異なる。さらに、第５の実施形態がＣＲＴテレビに適用され、ＵＳＢタイプまたはＤＶＩタイプの音声データ及び視覚データがデジタルデータであるので、第５の実施形態はさらに復号モジュール（３３ａ）を使用する。ＵＳＢコネクタインタフェース（３５ａ）と無線伝送モジュール（３２）の間で接続される復号モジュール（３３ａ）は、ＵＳＢタイプの音声データ及び視覚データを復号する。
【００２７】
本発明の電子装置がテレビに音声信号及び視覚信号を送信するための無線伝送方法が、従来の音声コネクタとビデオコネクタを使用せずに再生するために、テレビに音声信号及び視覚信号を送信するための汎用電子装置に適用できることは前記説明から明確に理解できる。低電力テレビ信号無線送信機は、変調された音声信号及び視覚信号をテレビ搬送波信号に変換する。そして、テレビ搬送信号は、電子装置とテレビの間の極めて短い距離でテレビに送信される。送信された搬送波信号はテレビを通してテレビ内部のチューナに至ることができる。その結果、テレビは、テレビが本発明の設定周波数に合せられると、電子装置の音声信号及び視覚信号を直接的に再生できる。さらに、テレビ上に設置される外部接続補助アンテナは、本発明により送信される音声信号及び受信信号の受信を強化できる。したがって、本発明は実際に特許の要件を満たすための優れた実用性と非自明性の特徴を含む。
【００２８】
本発明は例証として、好適実施形態に関して説明されてきたが、本発明がそれに制限されないことが理解されなければならない。これに反して、多様な変型及び類似する装置及び手順を網羅することが目的とされ、したがって添付請求項の範囲はすべてのこのような変型及び類似する装置と手順を包含するために最も広義な解釈を与えられるべきである。
【図面の簡単な説明】
【００２９】
【図１】本発明による方法の応用例の概略構成を示す。
【図２Ａ】本発明の方法で使用される補助アンテナ付きテレビを示す。
【図２Ｂ】本発明による補助アンテナの斜視図である。
【図３】本発明による無線伝送装置の第1の好適実施形態のブロック図である。
【図４】本発明による無線伝送装置の第２の好適実施形態のブロック図である。
【図５Ａ】本発明による無線伝送装置の第３の好適実施形態のブロック図である。
【図５Ｂ】本発明の無線伝送装置の第４の好適実施形態のブロック図である。
【図６Ａ】本発明による無線伝送装置の第５の好適実施形態のブロック図である。
【図６Ｂ】本発明による無線伝送装置の第６の好適実施形態のブロック図である。
【符号の説明】
【００３０】
１０            電子装置
２０            テレビ
２０’          ＣＲＴテレビ
２０”          デジタルテレビ
２２            補助アンテナ
２２１          金属拡張部
３０            無線伝送装置
３０ａ〜３０ｅ  無線伝送装置
３１            変調モジュール
３２            無線伝送モジュール
３３            符号化モジュール
３３ａ          復号モジュール
３５            ＶＧＡコネクタインターフェース
３５ａ          ＰＶＩコネクタインターフェース
【図１】
2008060728.tif 000003
【図２Ａ】
2008060728.tif 000004
【図２Ｂ】
2008060728.tif 000005
【図３】
2008060728.tif 000006
【図４】
2008060728.tif 000007
【図５Ａ】
2008060728.tif 000008
【図５Ｂ】
2008060728.tif 000009
【図６Ａ】
2008060728.tif 000010
【図６Ｂ】
2008060728.tif 000011